(57)【要約】【課題】投射系光軸とスクリーンの中心とがずれた場合にコントラストを向上させる反射型スクリーン及び前面投射型表示システムを提供する。【解決手段】投射光源から出射した映像光Ｌ０を反射するスクリーン１であって、スクリーン１の入射側の面に複数配列され、一方向に延在した帯状のレンチキュラーレンズ５と、レンチキュラーレンズ５と反対側の面にレンチキュラーレンズ５の配列方向に複数配列され、一方向に延在した外光吸収層６と、レンチキュラーレンズ５と反対側の面に、外光吸収層６の間に複数配列され、一方向に延在した反射層７と、を備え、外光吸収層６がレンチキュラーレンズ５の光軸を対称軸として非対称に形成されているように構成した。【選択図】図１
2008287029.tif 000002
【特許請求の範囲】
【請求項１】
投射光源から出射した投射光を反射する反射型スクリーンであって、
前記反射型スクリーンの入射側の面に複数配列され、一方向に延在した帯状のレンチキュラーレンズと、
前記レンチキュラーレンズと反対側の面に前記レンチキュラーレンズの配列方向に複数配列され、一方向に延在した外光吸収層と、
前記レンチキュラーレンズと反対側の面に、前記外光吸収層の間に複数配列され、一方向に延在した反射層と、
を備え、
前記外光吸収層は、前記配列方向に垂直な方向から見た当該外光吸収層の断面形状が非対称な形状となるように形成されている反射型スクリーン。
【請求項２】
前記レンチキュラーレンズの光軸と前記反射層の中心線とのずれ幅は、前記投射光の前記レンチキュラーレンズへの入射角に基づいて決定される請求項１に記載の反射型スクリーン。
【請求項３】
前記反射層の前記反射面は、前記反射型スクリーンの主面から前記投射光源側に傾いている請求項１又は２に記載の反射型スクリーン。
【請求項４】
前記ずれ幅は、前記入射角が大きくなるに従って徐々に大きくなる請求項２又は３に記載の反射型スクリーン。
【請求項５】
前記ずれ幅は、前記配列方向の一端から他端に向かうにつれて徐々に大きくなる請求項２〜４の何れか一項に記載の反射型スクリーン。
【請求項６】
前記レンチキュラーレンズは、前記反射型スクリーンが設置された状態で水平に延在し、
前記反射型スクリーンの下端における前記レンチキュラーレンズの光軸と前記反射層の中心線とのずれ幅は、上端における前記レンチキュラーレンズの光軸と前記反射層の中心線とのずれ幅よりも小さい請求項２〜５の何れか一項に記載の反射型スクリーン。
【請求項７】
前記反射層が接着剤により形成され、前記反射層の前記入射側と反対側の面には裏打ちシートが貼り合わされている請求項１〜６の何れか一項に記載の反射型スクリーン。
【請求項８】
請求項１〜７の何れか一項に記載の反射型スクリーンと、
投射光を出射する投射光源と、
を備える前面投射型表示システム。
【発明の詳細な説明】
【技術分野】
【０００１】
本発明は、反射型スクリーン及び前面投射型表示システムに関する。
【背景技術】
【０００２】
従来、液晶、ＤＭＤ（Digital  Micro  mirror  Device）を映像源としたプロジェクタが広く普及している。特に、スクリーン前面に映像光Ｌ０を投射するフロントプロジェクタは、容易に画面を大型にすることができるという長所があるため、広く使用されている。このフロントプロジェクタでは、明室で観視すると外光がスクリーン面で反射して映像のコントラストが劣るという欠点がある。
【０００３】
この点を改善するためのスクリーンの一例が、特許文献１に開示されている。特許文献１に開示のスクリーンでは、レンチキュラーレンズシートに反射層と光吸収層が設けられている。そして、レンチキュラーレンズにより映像光Ｌ０を効率よく反射層に集光することにより、コントラストを向上させている（例えば、特許文献１）。
また、特許文献２は、投射光源とスクリーンの配置を考慮し、入射面のレンズと光吸収層との相対位置をスクリーンの中心部から端側に向かうにつれてずらすことにより、コントラストを向上している。
しかし、近年では、様々な投射配置でフロントプロジェクタが使用されている。図１１に、投射配置の一例を示す。図１１に示すように、フロントプロジェクタ１１０は、机上に配置されることが多く、スクリーン１１１は、観察者から見て机の影とならないように、スクリーン１１１全体が机の高さよりも上方に位置している。すなわち、スクリーン１１１の下端が机の高さ程度に位置している。そのため、フロントプロジェクタ１１０の投射系光軸は、スクリーン１１１の上下方向の中央の下方に偏った位置となる。さらに投射系光軸の位置がスクリーン１１１の外側となる場合もある。
このような配置に対して、特許文献２に記載のスクリーンではコントラストを向上させることができない。コントラストを向上させるためには、入射面のレンズと光吸収層との相対的な配置位置に関して工夫を行う必要がある。
【０００４】
さらに、反射効率を改善する技術として、入射面のレンズの中心位置と反射面の中心位置とをスクリーンの中心部から端側に向かうにつれてずらすものが知られている（例えば、特許文献３）。
しかし、特許文献３に記載のスクリーンのように、両面に楔状の溝が対向して形成されたシートは裂けやすいため、実用上では裏打ちシートを貼り合せる必要がある。そのため、レンズシート形成工程、反射層形成工程、光吸収層形成工程の他に、裏打ちシート貼り合わせ工程が必要となり、製造工程が煩雑となる。
【特許文献１】特開平２−０７２３４０号公報
【特許文献２】特開平２−１３６８４６号公報
【特許文献３】特開平２−１７１７３４号公報
【発明の開示】
【発明が解決しようとする課題】
【０００５】
以上、説明したように、上述技術では、投射系光軸とスクリーンの中心とがずれてフロントプロジェクタが配置された場合にコントラストを向上させることができない。
また、裏打ちシートを備えた反射型スクリーンを簡便に製造する技術が求められている。
【０００６】
本発明は、このような問題点を解決するためになされたものであり、投射系光軸とスクリーンの中心とがずれた場合にコントラストを向上させる反射型スクリーン及び前面投射型表示システムを提供することを目的とする。
【課題を解決するための手段】
【０００７】
本発明にかかる反射型スクリーンは、投射光源から出射した投射光を反射する反射型スクリーンであって、前記反射型スクリーンの入射側の面に複数配列され、一方向に延在した帯状のレンチキュラーレンズと、前記レンチキュラーレンズと反対側の面に前記レンチキュラーレンズの配列方向に複数配列され、一方向に延在した外光吸収層と、前記レンチキュラーレンズと反対側の面に、前記外光吸収層の間に複数配列され、一方向に延在した反射層と、を備え、前記外光吸収層は、前記配列方向に垂直な方向から見た当該外光吸収層の断面形状が非対称な形状となるように形成されている。このような構成により、投射系光軸とスクリーンの中心とがずれた場合に、外光吸収層によって投射光が吸光されずにすむとともに、外光を確実に吸光することができることとなって、コントラストを向上させることができる。
【０００８】
好ましくは、前記レンチキュラーレンズの光軸と前記反射層の中心線とのずれ幅は、前記投射光の前記レンチキュラーレンズへの入射角に基づいて決定される。このような構成により、投射系光軸とスクリーンの中心とがずれた場合に、確実に外光吸収層により外光を吸収することができることとなって、コントラストを向上させることができる。
【０００９】
また、好ましくは、前記反射層の前記反射面は、前記反射型スクリーンの主面から前記投射光源側に傾いているものである。
このような構成により、投射系光軸とスクリーンの中心とがずれた場合であっても、投射光を効率よく反射面により反射することができることとなって、明るさとコントラストに優れた反射型スクリーンを提供することができる。
【００１０】
さらに好ましくは、前記ずれ幅は、前記入射角が大きくなるに従って徐々に大きくなるように構成されているものである。これにより、より確実に投射光を反射面により反射することができ、さらに明るさに優れ、コントラストが向上した反射型スクリーンを提供することができる。
【００１１】
また、前記ずれ幅は、前記配列方向の一端から他端に向かうにつれて徐々に大きくなるように構成されている。これにより、投射系光軸がスクリーンの一端側に偏って配置された場合であっても、反射面に入射する外光を好適に反射させることができ、コントラストを向上することができる。
【００１２】
さらにまた、前記レンチキュラーレンズは、前記反射型スクリーンが設置された状態で水平に延在し、前記反射型スクリーンの下端における前記レンチキュラーレンズの光軸と前記反射層の中心線とのずれ幅は、上端における前記レンチキュラーレンズの光軸と前記反射層の中心線とのずれ幅よりも小さいように構成されている。これにより、投射系光軸がスクリーンの下端側に偏って配置された場合であっても、反射面に入射する外光を好適に反射させることができる。
【００１３】
また、前記反射層が接着剤により形成され、前記反射層の前記入射側と反対側の面には裏打ちシートが貼り合わされている。このように構成することにより、当該反射型スクリーンの製造工程において、反射層形成工程と裏打ちシート貼り合わせ工程とを同一工程とすることができ、裏打ちシートを備えた反射型スクリーンを簡便に、且つ、安価に製造することができる。
【発明の効果】
【００１４】
本発明によれば、投射系光軸とスクリーンの中心とがずれた場合に、確実に外光吸収層により外光を吸収することができることとなって、コントラストを向上させることができる。
【発明を実施するための最良の形態】
【００１５】
以下に、本発明を実施するための最良の形態について図を参照して説明する。なお、本発明は、以下の実施の形態に限定されるものではない。
図１は、本発明にかかる反射型スクリーン１（以下、スクリーン１と称する。）を備える全面投射型表示システム１０の一例を示す側面模式図である。また、図１には、スクリーン１の下部と上部を拡大した断面模式図を示す。また、図２に、スクリーン１と前面投射型表示装置２及び室内照明３との配置を示す側面模式図を示す。
まず、図１及び図２を参照しながら、反射型スクリーン１及び前面投射型表示システム１０の概略構成について説明する。
投射光源（図示省略）を有する前面投射型表示装置（フロントプロジェクタ）２は、例えば、図１に示すように、スクリーン１の下端と略同じ高さに設置されている。即ち、前面投射型表示装置２の映像光（投射光）Ｌ０を出射する投射レンズ（図示省略）の投射系光軸Ｋ１が、スクリーン１の下部と略同じ高さとなっている。そして、前面投射型表示装置２から投射される映像光Ｌ０は、前面投射型表示装置２の投射系光軸Ｋ１を中心として放射線状に拡がってスクリーン１に到達するようになっている。言い換えれば、スクリーン１の大部分が、前面投射型表示装置２の投射系光軸Ｋ１よりも上位に位置し、そのため、スクリーン１には映像光Ｌ０が下方から入射する。
また、図２に示すように、室内照明３がスクリーン１の真上上方に設置されており、室内照明３から出射される外光Ｌ１がスクリーン１の上方から入射するようになっている。
【００１６】
スクリーン１は、図１に示すように、基材４、基材４の入射側の面（映像光Ｌ０が入射する側の面）に形成されるレンチキュラーレンズ５、基材４の背面側の面（入射側の面と反対側の面）に形成される外光吸収層６及び反射層７等を有する。
【００１７】
基材４は、アクリル樹脂等により形成され、スクリーン１の本体となるシート状の部材である。
レンチキュラーレンズ５は、スクリーン１の入射側の面に、一方向に延在するように帯状に複数配列される。
具体的には、レンチキュラーレンズ５は、その断面形状が略Ｃ字状の凸形状である柱状の凸レンズである。換言すれば、レンチキュラーレンズ５は断面略楕円状の形状に形成されている。レンチキュラーレンズ５は、基材４の片面（入射側の面）に投射光源側（フロントプロジェクタ２側）に向かって突設されている。即ち、レンチキュラーレンズ５が形成された基材４の入射側の面は凹凸形状となっている。そして、スクリーン１が壁などに取り付けられた状態で、複数のレンチキュラーレンズ５が略水平に延在するように配列されている。換言すれば、スクリーン１の入射側の面に、複数のレンチキュラーレンズ５がシート状に配列されている。
【００１８】
レンチキュラーレンズ５は、例えば、透光性樹脂等を用いて、押し出し成形法などによって形成される。好適には、レンチキュラーレンズ５は、押出し成形法により形成する場合には、アクリル系樹脂、スチレン系樹脂等の透光性樹脂を用いて形成される。また、レンチキュラーレンズ５は、ウレタン系樹脂を用いて、押出し成形法により形成されてもよい。ウレタン系樹脂により形成されたレンチキュラーレンズ５は、耐キズ付性に優れる。また、これら透光性樹脂中に帯電防止材、紫外線吸収材、光吸収材、光拡散材を混入してもよい。
【００１９】
外光吸収層６は、スクリーン１に入射した外光Ｌ１を吸収する。外光吸収層６は、スクリーン１の背面側の面に形成される。具体的には、外光吸収層６は、スクリーン１の背面側の面に、レンチキュラーレンズ５が延在する方向と同一方向に延在し、且つ、レンチキュラーレンズ５の配列方向と同一方向に複数配列されている。即ち、外光吸収層６は、スクリーン１の背面側の面に一方向に延在するように帯状に形成される。
【００２０】
一般に、スクリーン１における外光吸収層６の面積比率が大きいほど、コントラスト性能が優れる。従って、外光吸収層６のスクリーン１に占める面積比率を大きくするのが好ましい。一方、スクリーン１における外光吸収層６の面積比率が過度に大きいと、投射光源及びスクリーン１の配置によっては映像が暗くなってしまう。従って、スクリーン１における外光吸収層６の占める面積比率は、スクリーン１面を正面から観察した場合、基材４の背面全体に対して２０〜７０％であるのが好ましく、より好ましくは３０〜６０％である。
【００２１】
反射層７は、スクリーン１に入射した映像光Ｌ０を反射する。反射層７は、スクリーン１の背面側の面に、外光吸収層６の間に形成される。具体的には、反射層７は、スクリーン１の背面側の面に、レンチキュラーレンズ５が延在する方向と同一方向に延在し、且つ、レンチキュラーレンズ５の配列方向と同一方向に複数配列されている。即ち、反射層７は、スクリーン１の背面側の面に一方向に延在するように帯状に形成される。
【００２２】
反射層７は、レンチキュラーレンズ５の焦点位置付近に位置するように、スクリーン１の背面側の面に形成されることが好ましい。具体的には、反射層７が、レンチキュラーレンズ５の焦点位置とレンチキュラーレンズ５の頂点位置との間において、レンチキュラーレンズ５の焦点位置から１／３までの間に位置するように、基材４の厚みが設計されることが好ましい。このように構成することにより、レンチキュラーレンズ５に入射した映像光Ｌ０が再帰反射に近い反射特性で反射することとなり、投射光源付近から観視した場合に明るい映像とすることができる。同時に、反射層７の位置をレンチキュラーレンズ５の焦点位置からレンチキュラーレンズ５側へ適宜ずらすことにより、より広い視野範囲で映像を観視することが可能となる。
なお、レンチキュラーレンズ５、外光吸収層６、反射層７の配列方向はこれに限られるものではない。
【００２３】
次に、図１、図２を参照して、反射型スクリーン１の詳細構成について説明する。
レンチキュラーレンズ５のレンズピッチは、０．３ｍｍ以下とすることができる。一般に、反射型スクリーン１は８０インチ以上の投影サイズで用いられることが多い。このときの上下方向の映像サイズは約１２００ｍｍとなる。そして、上下方向の画素数が４８０本、７２０本、１０８０本である場合には、画素ピッチは、それぞれ約２．５ｍｍ、１．７ｍｍ、１．１ｍｍ等となる。画素ピッチとレンズピッチとが干渉して発生するモアレは、（画素ピッチ）／（レンズピッチ）の値が大きいほど目立ちにくく、整数倍に近いほど目立ちやすい。レンズピッチを０．３ｍｍ以下とすることにより、（画素ピッチ）／（レンズピッチ）＝約８．３、５．６、３．７以上となり、モアレを低減することができる。
【００２４】
また、スクリーン１の一端におけるレンチキュラーレンズ５の光軸Ｋ２と、反射層７の中心線Ｃ１とのずれ幅は、他端におけるレンチキュラーレンズ５の光軸Ｋ２と、反射層７の中心線Ｃ１とのずれ幅よりも小さくなっている。また、レンチキュラーレンズ５の光軸Ｋ２と、反射層７の中心線Ｃ１とのずれ幅は、スクリーン１の一端から他端に向かうにつれて連続して徐々に大きくなっている。具体的には、レンチキュラーレンズ５の光軸Ｋ２と反射層７の中心線Ｃ１のずれ幅は、スクリーン１の投射系光軸Ｋ１と略同位置である端側から他端に向かうにつれて徐々に大きくなっている。より具体的には、図１に示すように、スクリーン１の下端におけるレンチキュラーレンズ５の光軸Ｋ２と反射層７の中心線Ｃ１とのずれ幅は、スクリーン１の上端におけるレンチキュラーレンズ５の光軸Ｋ２と反射層７の中心線Ｃ１とのずれ幅よりも小さくなっている。また、レンチキュラーレンズ５の光軸Ｋ２と反射層７の中心線Ｃ１とのずれ幅は、スクリーン１の下端から上端に向かうにつれて徐々に大きくなっている。特に、スクリーン１の下端におけるレンチキュラーレンズ５の光軸Ｋ２と反射層７の中心線Ｃ１とは同一ライン上に位置し、当該ラインの延長上に投射系光軸Ｋ１が位置するように前面投射型表示装置２が配置されている。
【００２５】
換言すれば、レンチキュラーレンズ５の光軸Ｋ２と反射層７の中心線Ｃ１とが一致するライン上に投射系光軸Ｋ１が位置する場合、当該投射系光軸Ｋ１は、スクリーン１の中央より上下方向にずれた位置にある。また、換言すれば、映像光Ｌ０を出射する前面投射型表示装置２は、スクリーン１の中央より上下方向にずれた位置に配置されている。従って、映像光Ｌ０は、スクリーン１の中央から上下方向にずれた位置を投射系光軸Ｋ１として、スクリーン１に入射される。
【００２６】
好適には、図１、図２に示すように、映像光Ｌ０を出射する前面投射型表示装置２は、スクリーン１の下端と略同一の高さに配置されている。即ち、前面投射型表示装置２は、スクリーン１の下端付近に配列されたレンチキュラーレンズ５の光軸方向に、スクリーン１から所定距離離間した位置に配置されている。このとき、投射系光軸Ｋ１は、スクリーン１の下端付近に配列されたレンチキュラーレンズ５の光軸Ｋ２と平行であり、映像光Ｌ０は、スクリーン１の下端付近に配列されたレンチキュラーレンズ５の光軸Ｋ２と平行に、スクリーン１に入射される。
【００２７】
スクリーン１の投射系光軸Ｋ１付近に配列される反射層７は、レンチキュラーレンズ５の光軸Ｋ２と当該反射層７の中心線Ｃ１とが略同一ライン上となる位置に配列される。また、スクリーン１の投射系光軸Ｋ１から上方に離れるに従って、反射層７は、当該反射層７と対向するレンチキュラーレンズ５の光軸Ｋ２より当該反射層７の中心線Ｃ１が上方に位置するように配置されている。また、スクリーン１の投射系光軸Ｋ１から下方に離れるに従って、反射層７は、当該反射層７と対向するレンチキュラーレンズ５の光軸Ｋ２より当該反射層７の中心線Ｃ１が下方に位置するように配置されている。即ち、反射層７は、スクリーン１の投射系光軸Ｋ１に相当する位置から上下方向に離れるに従って、当該反射層７と対向するレンチキュラーレンズ５より上下方向にずれて配列される。
【００２８】
換言すれば、レンチキュラーレンズ５の光軸Ｋ２と、反射層７の中心線Ｃ１とのずれ幅は、映像光Ｌ０のレンチキュラーレンズ５（即ち、スクリーン１）への入射角θに基づいて決定される。具体的には、レンチキュラーレンズ５の光軸Ｋ２と、反射層７の中心線Ｃ１とのずれ幅は、映像光Ｌ０のレンチキュラーレンズへの入射角θが大きくなるにつれて大きくなっている。
【００２９】
外光吸収層６は、スクリーン１の背面側の面に、レンチキュラーレンズ５の配列方向において、スクリーン１の中心に対して非対称な配列パターンで配置されている。
具体的には、外光吸収層６と隣り合う反射層７の中心線Ｃ１と当該反射層７と対向するレンチキュラーレンズ５の光軸Ｋ２とのずれ幅が大きくなるのに従って、外光吸収層６は、当該外光吸収層６の中心線Ｃ２と当該レンチキュラーレンズ５の光軸Ｋ２との距離が連続して徐々に大きくなるように配列されている。
より具体的には、スクリーン１の投射系光軸Ｋ１付近に配列される外光吸収層６は、レンチキュラーレンズ５の光軸Ｋ２と当該外光吸収層６の中心線Ｃ２との距離が最小となる位置に配列される。また、スクリーン１の投射系光軸Ｋ１から上方に離れるに従って、外光吸収層６は、レンチキュラーレンズ５の光軸Ｋ２より当該外光吸収層６の中心線Ｃ２が上方に位置するように配置されている。また、スクリーン１の投射系光軸Ｋ１から下方に離れるに従って、外光吸収層６は、レンチキュラーレンズ５の光軸Ｋ２より当該外光吸収層６の中心線Ｃ２が下方に位置するように配置されている。即ち、外光吸収層６は、スクリーン１の投射系光軸Ｋ１に相当する位置から上下方向に離れるに従って、当該外光吸収層６の隣り合う反射層７と対向するレンチキュラーレンズ５より上下方向にずれて配列される。
【００３０】
換言すれば、レンチキュラーレンズ５の光軸Ｋ２と、外光吸収層６の中心線Ｃ２との距離は、映像光Ｌ０のレンチキュラーレンズ５（即ち、スクリーン１）への入射角θに基づいて決定される。具体的には、レンチキュラーレンズ５の光軸Ｋ２と、外光吸収層６の中心線Ｃ２とのずれ幅は、映像光Ｌ０のレンチキュラーレンズへの入射角θが大きくなるにつれて大きくなっている。
【００３１】
従って、映像光Ｌ０は、当該映像光Ｌ０が投射系光軸Ｋ１に平行に入射する付近の反射層７に対して投射系光軸Ｋ１と平行に入射し、投射系光軸Ｋ１から離れるに従って当該投射系光軸Ｋ１に対して傾斜した角度で反射層７に入射する。
好適には、図２に示すように、投射系光軸Ｋ１がスクリーン１の下端のレンチキュラーレンズ５の光軸Ｋ２に平行である場合に、反射層７は、スクリーンの下端においてレンチキュラーレンズ５と対向した位置に配列されている。また、外光吸収層６及び反射層７は、スクリーン１の上端に近づくほどレンチキュラーレンズ５より上方にずれた位置に配列されている。
【００３２】
次に、上述のスクリーン１に入射する映像光Ｌ０及び外光Ｌ１の光線経路について、説明する。
前面投射型表示装置２から出射された映像光Ｌ０は、光軸Ｋ２が投射系光軸Ｋ１と平行なレンチキュラーレンズ５に入射すると、当該レンチキュラーレンズ５に対向する位置に配列された反射層７によって反射される。このとき、レンチキュラーレンズ５の集光位置が反射層７よりもスクリーン１の背面側に位置する場合には、レンチキュラーレンズ５の入射側の集光位置がレンズ外部に位置することとなり、反射された映像光Ｌ０は拡散しながらレンチキュラーレンズ５から入射側に出射される。
また、映像光Ｌ０は、投射系光軸Ｋ１から離れた位置に配列されたレンチキュラーレンズ５には、斜入射する。そして、斜入射した映像光Ｌ０は、当該レンチキュラーレンズ５の光軸Ｋ２とその中心線Ｃ１がずれて配列された反射層７により反射される。反射された映像光Ｌ０は拡散しながらレンチキュラーレンズ５から入射側に出射される。
【００３３】
一方、室内照明３から出射される外光Ｌ１は、レンチキュラーレンズ５に対して斜入射する。斜入射した外光Ｌ１は、レンチキュラーレンズ５によって、当該レンチキュラーレンズ５の光軸Ｋ２とその中心線Ｃ２との距離が大きくなるように下方にずれて配列された外光吸収層６に集光される。そして、外光吸収層６によって吸収されるため、レンチキュラーレンズ５から入射側に出射されない。即ち、外光吸収層６及び反射層７は室内照明３の位置に応じてずれた位置に配置されている。
【００３４】
より具体的に、投射系光軸Ｋ１がスクリーン１の下端付近に位置する場合における映像光Ｌ０及び外光Ｌ１の光線経路について、図２を参照しながら、説明する。
前面投射型表示装置２から出射された映像光Ｌ０は、スクリーン１の下端から上端に向かうにつれて広がりながら、レンチキュラーレンズ５に斜入射する。斜入射した映像光Ｌ０は、投射系光軸Ｋ１から上方に離れるに従って、当該レンチキュラーレンズ５の光軸Ｋ２とその中心線Ｃ１が上方にずれて配列された反射層７により反射される。
一方、室内照明３から出射される外光Ｌ１は、スクリーン１の上端から下端に向かうにつれて広がりながら、レンチキュラーレンズ５に斜入射する。斜入射した外光Ｌ１は、当該レンチキュラーレンズ５の光軸Ｋ２とその中心線Ｃ２との距離が大きくなるように下方にずれて配列された外光吸収層６により吸収される。
【００３５】
以上、説明したように、本発明にかかるスクリーン１では、映像光Ｌ０は外光吸収層６によって吸収されることなく、反射層７によって反射される。一方、外光Ｌ１は外光吸収層６によって吸収される。さらに、レンチキュラーレンズ５のレンズピッチを０．３ｍｍ以下とすることができる。これにより、本発明にかかるスクリーン１では、画素ピッチとレンズピッチに起因するモアレを低減しながら、明るさとコントラストを向上させることができる。
【００３６】
なお、投射系光軸Ｋ１はスクリーン１の外部に位置してもよく、この場合には、全てのレンチキュラーレンズ５において、当該レンチキュラーレンズ５の光軸Ｋ２と反射層７の中心線Ｃ１とがずれている。具体的には、投射系光軸Ｋ１がスクリーン１の下端よりも下方に位置する場合には、全ての反射層７は、当該反射層７の中心線Ｃ１がレンチキュラーレンズ５の光軸Ｋ２よりも上側にずれるように配列されている。また、投射系光軸Ｋ１がスクリーン１の上端よりも上方に位置する場合には、全ての反射層７は、当該反射層７の中心線Ｃ１がレンチキュラーレンズ５の光軸Ｋ２よりも下側にずれるように配列されている。
【００３７】
次に、本発明にかかるスクリーン１に適用可能な外光吸収層６の形状について説明する。本発明にかかる外光吸収層６の形状の一例を図３に示す。
図３に示すように、基材４の背面側の面は、四角形状の凸部が形成されている。そして、当該凸部により形成される凸面に外光吸収層６を形成することができる。また、図４に示すように、外光吸収層６の外光吸収面６１が背面側に向かって凸の三角形状（図４（ａ）参照）、入射側に向かって凸の三角形状（図４（ｂ）参照）、背面側に向かって凸の曲面形状（図４（ｃ）、（ｄ）参照）などの形状となるように、外光吸収層６の形状を形成することができる。
また、図３、図４に示すように、外光吸収層６は、レンチキュラーレンズ５の配列方向に垂直な方向から見た断面形状が非対称な形状となるように形成されている。換言すれば、外光吸収層６の当該断面形状は、スクリーン１の主面に対して垂直な当該外光吸収層６の中心線を対称軸として非対称な形状となっている。具体的には、図３に示すように、基材４の背面側には、スクリーン１に垂直な線に対して非対称な四角形状の凸部が形成されている。換言すれば、当該凸部のスクリーン１の一端側の斜面とスクリーン１の他端側の斜面とはスクリーン１に垂直な線に対して非対称な角度を有している。また、図４に示すように、基材４の背面側には、スクリーン１に垂直な線に対して非対称な断面形状を有する凸部が形成されている。そして、外光吸収層６は、当該凸部の頂部及び斜面の一部に黒インクＢ（後述）を塗布することにより形成される。すなわち、個々の外光吸収層６がスクリーン１に垂直な線に対して非対称な形状に形成されることにより、レンチキュラーレンズ５に対向する反射層７に隣接する外光吸収層６，６は、当該レンチキュラーレンズ５の光軸Ｋ２を対称軸として非対称に形成されている。
【００３８】
次に、本発明にかかるスクリーン１に適用可能な反射層７の形状について説明する。本発明にかかる反射層７の形状の一例を図３に示す。
図３に示すように、反射層７の反射面７１がスクリーン１の主面（映像が投影される面）から投射光源側に傾くように、反射層７を形成することができる。図３には、反射層７の反射面７１が平坦な面に形成されている例を示している。また、図４に示すように、反射層７の反射面７１が様々な角度でスクリーン１の主面から投射光源側に傾くように、反射層７を形成することができる。この他に、反射層７の反射面７１が凹曲面形状、凸曲面形状となるように反射層７を形成することができる。
【００３９】
また、反射層７の反射面７１がスクリーン１の主面に対して傾く角度がスクリーン１の上下方向で変化するように、反射層７が形成されてもよい。スクリーン１の下端から上端に向かって傾斜して映像光Ｌ０がスクリーン１に斜入射する場合を考慮すると、反射層７の反射面７１のスクリーン１の主面に対して傾く角度がスクリーン１の上方に向かうにつれて大きくなるように、反射層７が形成されてもよい。
なお、本発明において、反射層７の反射面７１がスクリーン１の主面から傾いている場合や、曲面形状に形成されている場合には、反射層７の中心線Ｃ１の位置とは、図４に示すように反射層７の配列方向（即ち、上下方向）の中央とする。
【００４０】
次に、本発明にかかるスクリーン１の製造方法について説明する。
例えば、図４に示すように、基材４の入射側の面に、レンチキュラーレンズ５を形成する。具体的には、ウレタン系紫外線硬化性樹脂を、基材４の入射側の面に塗布する。その後、レンチキュラーレンズ５のレンズ形状の逆型の凹凸形状を有する成形型を押し当て、紫外線を照射する。これにより、基材４の入射側の面にレンチキュラーレンズ５を形成することができる。
【００４１】
また、基材４の背面に、背面側に向かって突出する四角形状の凸部を形成する。当該凸部を構成する上側の面と下側の面は、スクリーン１の主面から非対称な角度で傾斜している。そして、例えば、ロールナイフを用いたロール印刷又はスクリーン印刷によって、当該凸部により形成される凸面に黒インクＢ（後述）を塗布することにより、外光吸収層６を形成することができる。
【００４２】
あるいは、基材４の背面にレンチキュラーレンズ５に対向する位置に四角形状の凹部を形成する。当該凹部を構成する上側の面と下側の面は、スクリーン１の主面から非対称な角度で傾斜している。そして、基材４の当該凹部を含む背面の前面に黒インクＢを塗布し、当該凹部の底面（即ち、反射面７１）に塗布された不要な黒インクＢを除去することによって、当該凹部と隣り合う凹部との間に形成された凸部に、外光吸収層６を形成することができる。
【００４３】
ロール印刷技術を用いた外光吸収層６の形成方法について、図５を参照しながら説明する。図５に、外光吸収層６を形成するための印刷装置１００の具体的な一例を示す。図５に示すように、印刷装置１００では、ロールナイフ１０１が印刷ロール１０２に当接し、印刷ロール１０２の表面には紫外線硬化性黒インクＢ（以下、黒インクＢと称する。）が塗布されるようになっている。また、片面にレンチキュラーレンズが形成され、他方の面が凹凸形状に形成されたシート状の基材４が、印刷ロール１０２とバックアップロール１０３に挟持される。そして、バックアップロール１０３が回転することにより、シート状に形成された基材４が、塗布工程に搬送されるようになっている。
【００４４】
そして、印刷ロール１０２表面に塗布された黒インクＢが、シート状に形成された基材４の凹凸面の凸部へと転写される。その後、黒インクＢが塗布された基材４の凹凸面に紫外線が照射される。これにより、外光吸収層６が形成される。
【００４５】
次に、外光吸収層６の他の具体的な形成方法について説明する。
まず、黒インクＢが、シート状に形成された基材４の凹凸面の凹部を含む全面に塗布される。次に、凹部以外の部分に塗布された黒インクＢを掻き取る等の方法によって、除去する。その後、黒インクＢが塗布された基材４の凹凸面に紫外線が照射される。これにより、外光吸収層６が形成される。
【００４６】
また、図６に示すように、反射層７と外光吸収層６との境界に段差あるいは凹部９を形成してもよい。基材４の背面に凸部を形成し、当該凸部に黒インクＢを塗布して外光吸収層６を形成する際に、当該凸部から流れた黒インクＢが、反射層７と外光吸収層６との境界に形成された凹部９によりせき止められ、反射層７に流れるのを防ぐことができる。これにより、反射層７と外光吸収層６との境界が明瞭になり、効率よく精密に外光吸収層６を形成することができる。また、凹部９により黒インクＢがせき止められ反射層７に流れるのが防止されるため、黒インクＢを塗布した後に、黒インクＢを掻き取る工程が不必要となり、塗布工程の１回の工程のみで外光吸収等６を形成することができる。
【００４７】
また、図７に示すように、反射層７の入射側とは反対側の面に裏打ちシート８が接着可能となっていると好ましい。具体的には、外光吸収層６が形成された基材４の背面側に接着剤又は粘着剤を積層して反射層７を形成する。そして、反射層７の入射側とは反対側の面に裏打ちシート８を貼り合わせる。これにより、スクリーン１を巻き上げ可能とすることができる。また、スクリーン１を簡易な構成とすることができ、製造コストを抑えることができる。また、反射層形成工程と裏打ちシート貼り合わせ工程とを同一工程とすることができ、製造工程を１つ減らすことができ、裏打ちシート８を備えた反射型スクリーンを簡便に製造することができる。
【００４８】
反射層７を形成する材料としては、光拡散材、顔料、金属粉末等の反射性を有する材料を混入した接着剤または粘着剤を用いることができる。また、反射層７を形成する接着剤又は粘着剤としては、公知の粘着剤や各種接着剤を使用できるが、スクリーン１を巻き取り収納することを考慮すると、柔軟なものが好ましい。この点で、反射層７を形成する材料として、粘着剤が用いられることが好ましい。
また、接着剤を用いる場合は紫外線硬化性の接着剤以外、例えば熱硬化性の接着剤により反射層７を形成することが好ましい。スクリーン１の入射面側から紫外線を照射しても外光吸収層６に接した部分が硬化されにくいためである。また、裏打ちシート８は一般に白又は黒の不透明なシートにより形成されるため、裏側からの紫外線照射もできないためである。
【００４９】
なお、レンチキュラーレンズ５の表面に微細な凹凸を設けてもよい。レンチキュラーレンズ５の表面に形成された微細な凹凸により、レンチキュラーレンズ５の表面において外光Ｌ１や映像光Ｌ０による映り込みを防止することができる。レンチキュラーレンズ５の表面に微細な凹凸を形成する方法としては、レンチキュラーレンズ５の成形型の表面をサンドブラスト等により処理することで粗面とする方法、レンチキュラーレンズ５を形成する樹脂中に光拡散材を混入させる方法等の各種の方法がある。特に、樹脂中に光拡散材を混入させる場合には、レンチキュラーレンズ５を形成する樹脂と略等屈折率を有する光拡散材を用いるのが好ましい。
【００５０】
また、レンチキュラーレンズ５の表面に微細な凹凸を形成する別の方法として、図５に示すロール印刷技術を使用して拡散材入りの透明インク層をレンチキュラーレンズ５に塗布する方法がある。拡散材を混入することにより透明インクの粘度が高くなり、レンチキュラーレンズ５間の谷部に透明インクが付着しにくいので好ましい。これは、レンチキュラーレンズ５間の谷部に透明インクが付着すると谷部形状が不明瞭になり不具合の一因となるためである。また、透明インク基材をハードコート樹脂とすると耐キズ付性が向上するためさらに好ましい。
【００５１】
さらに、レンチキュラーレンズ５の表面に形成される微細な凹凸の程度としては、ＪＩＳ  Ｂ  ０６０１  ２００１で規定された表面粗さＲａが０．２μｍ〜１０μｍの範囲となることが好ましい。表面粗さＲａが０．２μｍより小さい場合には映り込み防止効果が得られず、表面粗さＲａが１０μｍより大きい場合には映像がぼけてしまう等の問題が発生する。なお、表面粗さＲａは、レンチキュラーレンズ５のレンズ頂部のレンズ長手方向における表面粗さを測定することにより計測したものである。
【００５２】
レンチキュラーレンズ５に光拡散材が混入されてもよい。この場合には、レンチキュラーレンズ５が形成されたスクリーン１の入射側よりも反射層７が形成される背面側に、より多くの光拡散材が含有されることが好ましい。このように構成することにより、反射層７より反射された映像光Ｌ０を拡散させてレンチキュラーレンズ５から出射させることができる。また、外光吸収層６に吸収される映像光Ｌ０の割合を低減することができる。
【００５３】
また、スクリーン１の入射側において、映像投射領域のみにレンチキュラーレンズ５を形成してもよい。これにより、より大型サイズ或いは額縁状の周辺部を有する意匠性の高い反射型スクリーンを製造することができる。
【００５４】
実施例．
本実施例として、以下のように、スクリーン１を作製した。
まず、メタクリルスチレン共重合体樹脂（屈折率＝１．５７）を用いて、押出し機とロール金型によって、シート状樹脂（基材４）の片側の面にピッチ０．１５ｍｍの円柱状凸レンズ（レンチキュラーレンズ５）が複数並列し、反対側の面に四角形状の凹凸形状を有するレンズシートを形成した。なお、レンチキュラーレンズ５が形成される面（即ち、入射側の面)と反対側の面に形成された凸部と隣り合う凸部との間に形成された凹部は、レンチキュラーレンズ５に略対応する位置に、レンチキュラーレンズ５と同じピッチで形成されている。そのため、レンチキュラーレンズ５とその反対側の面に形成された凹凸形状とにより、モアレが発生することはない。
【００５５】
図８に、本実施例で作製したレンズシートを示す。図８に示すように、レンズシートの入射側の面と反対側の面に形成された凹部の底面は、当該レンズシートを用いて作製されるスクリーン１が壁等に設置された際に、下向きに傾くように斜めに形成されている。そして、当該凹部の底面が反射面７１となる。また、上記の通り、反射面７１のピッチは、０．１５ｍｍとなるように、当該凹部が形成されている。即ち、当該凹部のピッチは、０．１５ｍｍとなっている。
【００５６】
また、レンズシートを形成するメタクリルスチレン共重合体樹脂中に、架橋メタクリルスチレン共重合体樹脂からなる拡散材を４重合量％混入させた。当該拡散材の平均粒子径は８μｍである。
【００５７】
また、図８に示すように、レンズシートの入射側の面と反対側の面には、レンチキュラーレンズ５に対応する位置に、下向き（投射光源側）に傾いた反射面７１を有する反射層７が形成されている。また、レンズシートの入射側の面と反対側の面には、反射層７に隣接して、レンチキュラーレンズ５の光軸Ｋ２に対して非対称な四角形状の凸部が形成されている。
【００５８】
次いで、例えば、図５に示す印刷装置１００を用いて、レンズシートの入射側の面と反対側の面に形成された凸部の頂部及び斜面の略全面に黒インクＢを塗布する。その後、紫外線を照射して黒インクＢを硬化させ、外光吸収層６を形成した。レンズシートの当該凸部表面には、約０．０１ｍｍの厚さで外光吸収層６が形成された。
【００５９】
その後、白色顔料を混入させたアクリル系粘着材（屈折率＝１．４９）を、レンズシートの入射側の面と反対側の面の全面に塗布し、反射層７を形成した。次いで、当該反射層７の表面(即ち、反射層７の入射側の面と反対側の面)に裏打ちシート８を貼り合わせ、スクリーン１を作製した。裏打ちシート８を貼り合わせることにより、スクリーン１を巻き上げ可能とすることができる。作製したスクリーン１のスクリーンサイズは、縦１．７ｍ、横２．２ｍである。
【００６０】
なお、図８に示すように、スクリーン１下端において、反射層７の中心線Ｃ１がレンチキュラーレンズ５の光軸Ｋ２より約０．０５ｍｍ上方へずれており、スクリーン１上端において、反射層７の中心線Ｃ１がレンチキュラーレンズ５の光軸Ｋ２より約０．０６ｍｍ上方へずれていた。
【００６１】
比較例．
比較例のスクリーンとして、従来からのクラレプラスチックス株式会社製スクリーン「ＷＧ−２２５」を使用した。
【００６２】
実施例の比較例の評価．
本実施例のスクリーン１と比較例のスクリーンとの明るさ評価と映像目視評価とを行った。
図９、１０に、本実施例と比較例におけるスクリーンの配置状態の一例が示されている。図９、図１０に示すように、明室内において実施例のスクリーン１と、比較例のスクリーンに映像を投射し、その明るさ及びコントラストを評価した。ここで用いた前面投射型表示装置２（投射光源）は、日本アビオニクス株式会社製「ＭＰ−４５０」（画素数１，０２４×７６８）である。前面投射型表示装置２の投射系光軸Ｋ１がスクリーンの下端となるように、前面投射型表示装置２をスクリーンの下端とほぼ同じ高さに配置した。照明（外光光源）は蛍光灯照明である。当該照明のスクリーン中央部での照度は点灯時３６０ルクスであった。
【００６３】
＜明るさ評価＞
明るさ評価を行うために、輝度計を観視位置に配置し、全白映像を投射した。そして、照明を消灯状態として、実施例のスクリーン１と比較例のスクリーンのスクリーン水平中央方向の上端、中央、下端の輝度を計測した。計測結果を表１に示す。数値が大きい方が明るい映像であることを意味する。
コントラスト評価を行うために、前面投射型表示装置２を停止し、照明を点灯状態として、スクリーン面の反射輝度を計測した。測定位置はスクリーン水平中央方向の上端、中央、下端である。計測結果を表１に示す。数値が小さい方が、黒がより黒く表示されていることを示す。即ち、数値が小さい方が、コントラストが優れていることを意味する。
表１に示すように、実施例のスクリーン１は、比較例のスクリーンよりも、明るさ、コントラストともに大きく向上している。
【００６４】
【表１】
2008287029.tif 000003
【００６５】
＜映像目視評価＞
映像目視評価を行うために、照明を点灯状態とし、ＴＶ映像を実施例のスクリーン１及び比較例のスクリーンに投射して、目視で評価した。
その結果、実施例のスクリーン１では、映像が明るく表示され、映像のコントラストも優れていた。また、実施例のスクリーン１では、画素ピッチとレンチキュラーレンズ５のレンズピッチとのずれに起因するモアレも観察されなかった。
これに対して、比較例のスクリーンでは、外光Ｌ１によって映像が白く表示され、映像のコントラストも比較的に劣っていた。
このように、本発明によれば、明るくコントラストに優れ、また、画素ピッチとレンチキュラーレンズ５のレンズピッチとのずれに起因するモアレが目立たないスクリーンを実現することができる。また、裏打ちシート８を備える反射型スクリーンをより容易に製造することができる。
【図面の簡単な説明】
【００６６】
【図１】本発明にかかる反射型スクリーンを備える前面投射型表示システムの一例を示す側面視模式図である。
【図２】本発明にかかる反射型スクリーンを備える前面投射型表示システムにおける配置位置の一例を示す側面模式図である。
【図３】本発明にかかる反射型スクリーンの一構成例を示す断面模式図である。
【図４】本発明にかかる反射型スクリーンの一構成例を示す断面模式図である。
【図５】本発明にかかる反射型スクリーンの製造に使用される印刷装置の一例を示す側面視模式図である。
【図６】本発明にかかる反射型スクリーンの一構成例を示す断面模式図である。
【図７】本発明にかかる反射型スクリーンの一構成例を示す断面模式図である。
【図８】本実施例にかかる反射型スクリーンの一構成例を示す断面模式図である。
【図９】本実施例にかかる反射型スクリーンの配置状態の一例を示す側面視模式図である。
【図１０】本実施例にかかる反射型スクリーンの配置状態の一例を示す上面視模式図である。
【図１１】前面投射型表示装置の配置例を示す側面模式図である。
【符号の説明】
【００６７】
１  スクリーン（反射型スクリーン）
２  前面投射型表示装置（投射光源）
５  レンチキュラーレンズ
６  外光吸収層
７  反射層
７１  反射面
８  裏打ちシート
１０  前面投射型表示システム
Ｃ１  中心線
Ｋ２  光軸
【図１】
2008287029.tif 000004
【図２】
2008287029.tif 000005
【図３】
2008287029.tif 000006
【図４】
2008287029.tif 000007
【図５】
2008287029.tif 000008
【図６】
2008287029.tif 000009
【図７】
2008287029.tif 000010
【図８】
2008287029.tif 000011
【図９】
2008287029.tif 000012
【図１０】
2008287029.tif 000013
【図１１】
2008287029.tif 000014